(57)【特許請求の範囲】
【請求項１】
原稿の画像を光学的に読み取る原稿読取部と、
前記原稿読取部による原稿の読取で得られた原稿画像の全てのページについて、同一位置における一領域の指定を受け付ける指定受付部と、
前記原稿読取部による原稿の読取で得られた原稿画像において、前記指定受付部による指定の受付により指定された当該一領域に含まれる文字列を認識する文字列認識部と、
前記原稿読取部により読み取られた原稿画像を記憶する記憶装置と、
前記原稿読取部により読み取られた原稿画像を前記記憶装置に記憶させる画像保存制御部とを備え、
前記画像保存制御部は、前記原稿の前ページの原稿画像において前記文字列認識部により認識された文字列と、当ページの原稿画像において前記文字列認識部により認識された文字列とが異なる場合、前記前ページまでの原稿画像を１ファイルとし、当ページ以降のページを別ファイルとして前記記憶装置に保存するファイル分割処理を行う原稿読取装置。
【請求項２】
前記画像保存制御部は、前記原稿読取部により読み取られた原稿画像のデータ量が予め定められたデータ量を超える場合に、前記ファイル分割処理を行う請求項１に記載の原稿読取装置。
【請求項３】
前記画像保存制御部は、前記文字列認識部により認識された文字列から前記原稿画像のファイル名を生成する請求項１に記載の原稿読取装置。
【請求項４】
前記文字列認識部は、前記原稿の奇数ページ及び偶数ページで前記指定された当該一領域を左右対称にして文字列を認識する請求項１に記載の原稿読取装置。
【請求項５】
前記文字列認識部は、前記指定された当該一領域が空白であると認識した場合、前記原稿画像を１８０度回転した画像において前記指定された当該一領域に含まれる文字列を認識する請求項１に記載の原稿読取装置。
【請求項６】
前記画像保存制御部は、前記文字列認識部により前記原稿の当ページの原稿画像において前記指定された当該一領域が空白であると認識された場合、当ページの原稿画像を、前ページまでの原稿画像とともに１ファイルとし、当ページの次のページ以降のページを別ファイルとして、前記ファイル分割処理を行う請求項１に記載の原稿読取装置。
【請求項７】
前記画像保存制御部は、前記文字列認識部により前記原稿の当ページの原稿画像において前記指定された当該一領域が空白であると認識された場合、当ページの原稿画像を、次ページ以降の原稿画像とともに１ファイルとし、当ページの前ページ以前のページを別の１ファイルとして、前記ファイル分割処理を行う請求項１に記載の原稿読取装置。
【請求項８】
前記画像保存制御部は、前記文字列認識部において前記両文字列の大きさやフォントについては異なっているか否かの判断をせず、当該両文字列を構成する各文字同士がキャラクターとして異なると認識された場合に、前記原稿の前ページの原稿画像において前記文字列認識部により認識された文字列と、当ページの原稿画像において前記文字列認識部により認識された文字列とが異なるものとして、前記ファイル分割処理を行う請求項１に記載の原稿読取装置。
【請求項９】
前記画像保存制御部は、前記文字列認識部により、文字列の大きさ又はフォントが、予め定められた文字数以上異なると認識された場合に、前記原稿の前ページの原稿画像において前記文字列認識部により認識された文字列と、当ページの原稿画像において前記文字列認識部により認識された文字列とが異なるものとして、前記ファイル分割処理を行う請求項１に記載の原稿読取装置。
【請求項１０】
前記文字列認識部は、前記原稿読取部による原稿の１ページの読取が完了するごとに、前記指定された当該一領域の文字列認識を行い、前記画像保存制御部は、前記ファイル分割処理を行う請求項１に記載の原稿読取装置。
【請求項１１】
前記文字列認識部は、前記原稿読取部による原稿の全ページを読み取って全ページの原稿画像データを前記記憶装置に蓄積した後に、各ページの前記指定された当該一領域の文字列認識を行い、前記画像保存制御部は、前記ファイル分割処理を行う請求項１に記載の原稿読取装置。
【発明の詳細な説明】
【技術分野】
【０００１】
本発明は、紙媒体の原稿を電子化する原稿読取装置に関する。
【背景技術】
【０００２】
ページ数の多い原稿を複合機でスキャンしてファイル化する際、ファイルサイズが大きくなる場合は複数ファイルに分割することでファイルサイズを抑えようとすることがある。このとき、分割する単位をファイルサイズや一定のページ数で指定すると、原稿によってはユーザーにとって望まない原稿ページ位置で分割されることがある。また、分割するページ位置をユーザーが手動で指定するのは非常に手間がかかる。そこで、分割するページ位置を自動で指定することが求められる。
【０００３】
下記特許文献１には、複数ページからなる原稿を読み取って電子文書を作成可能な画像形成装置において、読み取った原稿画像を文字認識して抽出した行単位の文字列から、ユーザーから与えられた条件に基づいて、章分け箇所の候補行を抽出して該候補行の画像に仮マーカー付けし、前記仮マーカー付けした候補行を含むページの画像を表示して、ユーザーからの指示に基づいて前記候補行が章分け箇所であることを確定し、前記確定された章分け箇所にマーカー付けして原稿画像を修正するとともに、該章分け箇所の行から抽出した文字列と前記章分け箇所とを関連付けしたリンク情報を含むアウトラインデータを生成し、すべての原稿画像と、該アウトラインデータとからリンク情報付の電子文書を生成することが開示されている。
【先行技術文献】
【特許文献】
【０００４】
【特許文献１】特開２０１０−１０９４２０号公報
【発明の概要】
【０００５】
上記特許文献１において章分け基準とは文字サイズ等が定義されている。しかしながら、文字サイズ等のルールを基準にして判断するのに有効なものは、予めそのルールを意識して作られた原稿に対してのみであるという問題がある。
【０００６】
本発明は、上記の問題を解決するためになされたもので、複数ページからなる原稿をスキャンしてファイル化する際に、ユーザーが分割するページ位置を指定しなくても、ユーザーにとって好適と想定されるページ位置で原稿を複数のファイルに分割して保存することを目的とする。
【課題を解決するための手段】
【０００７】
本発明の一局面に係る原稿読取装置は、原稿の画像を光学的に読み取る原稿読取部と、前記原稿読取部による原稿の読取で得られた原稿画像の全てのページについて、同一位置における一領域の指定を受け付ける指定受付部と、前記原稿読取部による原稿の読取で得られた原稿画像において、前記指定受付部による指定の受付により指定された当該一領域に含まれる文字列を認識する文字列認識部と、前記原稿読取部により読み取られた原稿画像を記憶する記憶装置と、前記原稿読取部により読み取られた原稿画像を前記記憶装置に記憶させる画像保存制御部とを備え、前記画像保存制御部は、前記原稿の前ページの原稿画像において前記文字列認識部により認識された文字列と、当ページの原稿画像において前記文字列認識部により認識された文字列とが異なる場合、前記前ページまでの原稿画像を１ファイルとし、当ページ以降のページを別ファイルとして前記記憶装置に保存するファイル分割処理を行うものである。
【発明の効果】
【０００８】
本発明によれば、複数ページからなる原稿をスキャンしてファイル化する際に、ユーザーが分割するページ位置を指定しなくても、ユーザーにとって好適と想定されるページ位置で原稿を複数のファイルに分割して保存することができる。
【図面の簡単な説明】
【０００９】
【図１】本発明の一実施形態に係る原稿読取装置を備えた画像形成装置の構造を示す正面断面図である。
【図２】画像成形装置の主要内部構成を概略的に示す機能ブロック図である。
【図３Ａ】文字列認識指定領域の設定例を示す図である。
【図３Ｂ】文字列認識指定領域の別の設定例を示す図である。
【図４】画像形成装置によるファイル分割処理を示すフローチャートである。
【図５】スキャンした原稿画像をページ分割して別ファイルとして保存する例を示す図である。
【図６】上下反転した原稿画像の向きを正してページ分割して別ファイルとして保存する例を示す図である。
【図７】指定領域が空白であるページを前ページとは別のファイルとして保存する例を示す図である。
【図８】指定領域が空白であるページを前ページと同じファイルとして保存する例を示す図である。
【発明を実施するための形態】
【００１０】
以下、本発明の一実施形態に係る原稿読取装置について図面を参照して説明する。図１は、本発明の一実施形態に係る原稿読取装置を備えた画像形成装置の構造を示す正面断面図である。画像形成装置１は、例えば、コピー機能、プリンター機能、スキャナー機能、及びファクシミリ機能等の複数の機能を兼ね備えた複合機である。
【００１１】
画像形成装置１は、装置本体１１と、装置本体１１の上方に対向配置された原稿読取装置２０と、原稿読取装置２０と装置本体１１との間に設けられた連結部３０とから概略構成される。
【００１２】
原稿読取装置２０は、連結部３０の上端部に支持されている。原稿読取装置２０は、原稿読取部５、原稿搬送部６等を備えて構成されている。
【００１３】
原稿読取部５は、原稿読取部筐体の上面開口に装着された、原稿を載置するためのコンタクトガラス１６１を備えている。コンタクトガラス１６１には、載置された原稿を読み取る原稿固定読取部（図略）と、原稿搬送部６により搬送される原稿を読み取る原稿搬送読取部（図略）とがある。原稿読取部５は、さらに、コンタクトガラス１６１に載置された原稿を押さえる開閉自在の原稿押さえカバー１６２と、コンタクトガラス１６１の原稿固定読取部に載置された原稿、及びコンタクトガラス１６１の原稿搬送読取部へ搬送される原稿の各画像を読み取る読取ユニット１６３とを備えている。読取ユニット１６３は、ＣＣＤ（Charge Coupled Device）やＣＭＯＳ（Complementary Metal Oxide Semiconductor）等のイメージセンサーを用いて原稿の画像を光学的に読み取り、画像データを生成する。
【００１４】
原稿搬送部６は、原稿が載置される原稿載置台６１と、画像読み取り済みの原稿が排出される原稿排出部６６と、原稿搬送機構６５と、を備える。原稿搬送機構６５は、図略の給紙ローラー、搬送ローラー、及び用紙反転機構を備えている。原稿搬送機構６５は、給紙ローラー及び搬送ローラーの駆動により、原稿載置台６１に載置された原稿を１枚ずつ繰り出してコンタクトガラス１６１の原稿搬送読取部へ搬送して読取ユニット１６３による読取を可能とした後、原稿排出部６６へと排出する。また、原稿搬送機構６５は、用紙反転機構が原稿を表裏反転させてコンタクトガラス１６１の原稿搬送読取部へ再搬送することで、当該原稿の両面の画像を読取ユニット１６３により読取可能にしている。
【００１５】
さらに原稿搬送部６は、その前面側が上方に移動可能となるように原稿読取部５に対して回動自在に設けられている。原稿搬送部６の前面側を上方に移動させて原稿台としてのコンタクトガラス１６１上面を開放することにより、コンタクトガラス１６１の上面に読み取り原稿、例えば見開き状態にされた書籍等をユーザーが載置できるようになっている。
【００１６】
原稿読取装置２０の前面に操作部４７が配置されている。操作部４７は、画像形成装置１が実行可能な各種動作及び処理についてユーザーから画像形成動作実行指示や原稿読取動作実行指示等の指示を受け付ける。操作部４７は、ユーザーへの操作案内等を表示する表示部４７３を備えている。
【００１７】
装置本体１１は、画像形成部１２、定着部１３、給紙部１４、用紙排出部１５等を備えて構成されている。
【００１８】
画像形成装置１が原稿読取動作を行う場合、原稿搬送部６により搬送されてくる原稿、又はコンタクトガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１９】
画像形成装置１が画像形成動作を行う場合は、上記原稿読取動作により生成された画像データ、又はネットワーク接続されたコンピューターやスマートフォン等のユーザー端末装置から受信した画像データ、又は内蔵ＨＤＤに記憶されている画像データ等に基づいて、画像形成部１２が、給紙部１４から給紙される記録媒体としての用紙Ｐにトナー像を形成する。画像形成部１２の画像形成ユニット１２Ｍ、１２Ｃ、１２Ｙ、及び１２Ｂは、感光体ドラムと、感光体ドラムへトナーを供給する現像装置と、トナーを収容するトナーカートリッジと、帯電装置と、露光装置と、１次転写ローラー１２６とをそれぞれ備えている。
【００２０】
中間転写ベルト１２５上に転写される各色のトナー画像は、転写タイミングを調整して中間転写ベルト１２５上で重ね合わされ、カラーのトナー像となる。２次転写ローラー２１０は、中間転写ベルト１２５の表面に形成されたカラーのトナー像を、中間転写ベルト１２５を挟んで駆動ローラー１２５Ａとのニップ部Ｎにおいて、給紙部１４から搬送ローラー対により搬送路１９０を搬送されてきた用紙Ｐに転写させる。この後、定着部１３が、用紙Ｐ上のトナー像を熱圧着により用紙Ｐに定着させる。定着処理の完了したカラー画像形成済みの用紙Ｐは、排出トレイ１５１に排出される。
【００２１】
次に、画像形成装置１の構成を説明する。図２は画像形成装置１の主要内部構成を示す機能ブロック図である。
【００２２】
原稿読取部５は、制御ユニット１０による制御の下、光照射部及びＣＣＤセンサー等を有する上記の読取機構１６３を備える。原稿読取部５は、光照射部により原稿を照射し、その反射光をＣＣＤセンサーで受光することにより、原稿から画像を読み取る。
【００２３】
画像メモリー３２は、原稿読取部５による読取で得られた原稿画像のデータを一時的に記憶したり、画像形成部１２のプリント対象となるデータを一時的に保存する領域である。
【００２４】
画像処理部３１は、画像メモリー３２から原稿読取部５で読み取られた画像を読み出して画像処理する。例えば、画像処理部３１は、原稿読取部５により読み取られた画像が画像形成部１２により画像形成された後の品質を向上させるために、シェーディング補正等の予め定められた画像処理を行う。
【００２５】
画像形成部１２は、原稿読取部５で読み取られた印刷データ、ネットワーク接続されたコンピューターから受信した印刷データ等の画像形成を行う。
【００２６】
操作部４７は、画像形成装置１が実行可能な各種動作及び処理についてユーザーからの指示を受け付ける。操作部４７は、液晶表示器でできたタッチパネル式の表示部４７３を備える。操作部４７は、原稿読取部５による原稿の読取で得られた原稿画像における任意の位置の領域の指定をユーザーから受け付ける。操作部４７は、特許請求の範囲における指定受付部の一例である。
【００２７】
表示部４７３は、画像形成装置１が通常動作モードにあるときに、操作画面、プレビュー画面、印刷ジョブ状況の確認画面等の各種表示をする。一方、表示部４７３は、画像形成装置１がスリープモードにあるときには消灯する。
【００２８】
ＨＤＤ（ハードディスクドライブ）９２は、原稿読取部５によって読み取られた原稿画像等を記憶する大容量の記憶装置である。
【００２９】
駆動モーター７０は、画像形成部１２の各回転部材及び搬送ローラー対等に回転駆動力を付与する駆動源である。
【００３０】
制御ユニット１０は、プロセッサー、ＲＡＭ、ＲＯＭ及び専用のハードウェア回路等から構成される。プロセッサーは、例えば、ＣＰＵ、ＭＰＵ、ＡＳＩＣ等である。制御ユニット１０は、制御部１００、文字列認識部１０２、及び画像保存制御部１０３を備えている。なお、ＨＤＤ９２又は上記ＲＯＭに原稿読取プログラムが記憶されており、制御ユニット１０は、当該原稿読取プログラムに従って動作することにより、本実施形態で示す下記原稿読取処理の実行に必要な動作を制御部１００、文字列認識部１０２、及び画像保存制御部１０３として行う。なお、当該原稿読取プログラムによらず、制御ユニット１０が、ハード回路としての制御部１００、文字列認識部１０２、及び画像保存制御部１０３を備えるようにしてもよい。
【００３１】
制御部１００は、画像形成装置１の全体的な動作を司るものであり、原稿読取部５、原稿給送部６、画像メモリー３２、画像処理部３１、画像形成部１２、操作部４７、及びＨＤＤ９２等と接続され、これら各部の駆動制御を行う。
【００３２】
文字列認識部１０２は、原稿読取部５により読み取られた原稿画像において指定された領域に含まれる文字列を認識する。より詳細には、文字列認識部１０２は、ＯＣＲ（Optical Character Recognition）技術を用いて、原稿画像において指定された領域に含まれる文字列を認識する。
【００３３】
図３Ａは、文字列認識指定領域の設定例を示す図である。例えば、原稿タイプ「片面原稿」の原稿の場合、各ページのヘッダーに章番号や見出し等が記載されることがある。従って、各ページのヘッダーにおいて章番号や見出し等が記載される領域の始点及び終点のＸＹ座標を、ユーザーが操作部４７の操作（例えばタッチパネルに対するスライド操作）により指定して、操作部４７が当該指定を受け付けることにより、文字列認識指定領域１１０を設定する。
【００３４】
図３Ｂは、文字列認識指定領域の別の設定例を示す図である。例えば、原稿タイプ「見開き原稿」の原稿の場合、奇数ページと偶数ページとでヘッダーの左右対称の位置に章番号や見出し等が記載されることがある。従って、奇数ページのヘッダーにおいて章番号や見出し等が記載される領域の始点及び終点のＸＹ座標をユーザーが操作部４７の操作により指定して文字列認識指定領域１１０Ａを設定し、偶数ページには奇数ページと左右対称となる位置に文字列認識指定領域１１０Ｂを設定する。
【００３５】
更に、文字列認識部１０２は、原稿画像において指定された領域が空白であると認識した場合、当該原稿画像を１８０度回転した画像において、指定された領域に含まれる文字列を認識する。これにより、原稿の中に上下反転したページが混ざっている場合において、ユーザーがページの向きを直さなくとも原稿画像の向きを正すことができ、ユーザーの利便性を向上させることができる。なお、原稿画像を１８０度回転させるか否かはユーザーが任意に設定することができる。
【００３６】
画像保存制御部１０３は、原稿読取部５により読み取られた原稿画像を複数のファイルに分割してＨＤＤ９２やネットワーク接続されたコンピューターが有する図略のストレージ装置等の記憶装置に保存する。特に、画像保存制御部１０３は、原稿の前ページの原稿画像において文字列認識部１０２により認識された文字列と当ページの原稿画像において文字列認識部１０２により認識された文字列とが異なる場合、前ページまでの原稿画像を１ファイルとして記憶装置に保存するファイル分割処理を行う。画像保存制御部１０３は、更に、当ページ以降のページを別ファイルとして記憶装置に保存する。なお、画像保存制御部１０３は、文字列認識部１０２により認識された文字列から原稿画像のファイル名を生成する。これにより、ユーザーが手動でファイル名を設定する手間が省け、ユーザーの利便性を向上させることができる。
【００３７】
次に、画像形成装置１によるファイル分割処理を説明する。図４は、画像形成装置１によるファイル分割処理を示すフローチャートである。
【００３８】
まず、原稿読取部５が原稿給送部６から１枚ずつ搬送される原稿をスキャンして当該原稿の画像を光学的に読み取る（Ｓ１）。原稿読取部５により読み取られた原稿画像は画像メモリー３２に一時的に保存される。
【００３９】
原稿の１ページのスキャンが完了すると、ファイル分割処理が開始され、文字列認識部１０２が、画像メモリー３２に一時保存された原稿画像を読み出して、指定された領域に含まれる文字列を認識する（Ｓ２）。
【００４０】
文字列認識部１０２が、原稿画像において指定された領域に文字列を認識できない場合、すなわち、当該指定された領域が空白であると判断した場合（Ｓ３でＹＥＳ）、当ページが上下反転している可能性がある。従って、ユーザーが原稿画像の１８０度回転を許可している場合には（Ｓ４でＹＥＳ）、文字列認識部１０２は、原稿画像を１８０度回転して（Ｓ５）当該回転した画像において指定された領域に含まれる文字列を認識する（Ｓ６）。
【００４１】
文字列認識部１０２が文字列を認識できたならば、すなわち、指定された領域が空白でないならば（Ｓ３でＮＯ又はＳ７でＮＯ）、画像保存制御部１０３が、原稿の前ページの原稿画像において文字列認識部１０２により認識された文字列と、当ページの原稿画像において文字列認識部１０２により認識された文字列とを比較する（Ｓ８）。そして、画像保存制御部１０３は、前ページと当ページとで文字列が異なっていると判断した場合（Ｓ８でＹＥＳ）、前ページまでの原稿画像を１ファイルとして記憶装置に保存する（Ｓ９）。これにより、前ページと当ページとでファイルが分割され、前ページまでの原稿画像を含むファイルが記憶装置に保存される。
【００４２】
この場合、画像保存制御部１０３は、原則としては、比較対象とする上記両文字列の大きさやフォントについては、上記異なっているか否かの判断の要素とはせず、当該両文字列を構成する各文字同士がキャラクター（テキスト）として一致するか否かにより、上記異なっているか否かの判断を行う。但し、画像保存制御部１０３は、上記比較対象とする上記両文字列について、文字列の大きさ又はフォントが、予め定められた文字数（例えば、当該文字例をなす全文字数の１／２となる文字数）以上異なるか否かを判定し、文字列の大きさ又はフォントが、当該予め定められた文字数以上異なると判定した場合に、比較対象とする上記両文字列が異なっていると判断するようにしてもよい。
【００４３】
画像保存制御部１０３により、前ページと当ページとで文字列が同じであると判断されるか（Ｓ８でＮＯ）、又はステップＳ９で前ページまでの原稿画像を含むファイルの保存の完了後に、原稿の次ページがあると判断されれば（Ｓ１０でＹＥＳ）、ステップＳ１へ戻って原稿読取部５が原稿の次ページを読み取る。一方、画像保存制御部１０３は、原稿の次ページがないと判断すると（Ｓ１０でＮＯ）、当ページの原稿画像を含む未保存の原稿画像を１ファイルとして記憶装置に保存して（Ｓ１１）、原稿読取処理が終了する。
【００４４】
図５は、スキャンした原稿画像をページ分割して別ファイルとして保存する例を示す図である。例えば、原稿の第１ページ及び第２ページのヘッダーに文字列「4-19xxx」が記載され、第３ページ及び第４ページのヘッダーに文字列「4-20yyy」が記載されている場合、上記の原稿読取処理が行われると、文字列認識部１０２及び画像保存制御部１０３により、原稿の第１ページ及び第２ページの原稿画像がファイル名「4-19xxx.pdf」として保存され、第３ページ及び第４ページの原稿画像がファイル名「4-20yyy.pdf」として保存される。
【００４５】
図６は、上下反転した原稿画像の向きを正してページ分割して別ファイルとして保存する例を示す図である。例えば、図５と同じ原稿において第３ページの上下が反転していた場合、文字列認識部１０２により、当該ページの原稿画像を１８０度回転して文字列「4-20yyy.pdf」が認識されて、画像保存制御部１０３により、原稿の第１ページ及び第２ページの原稿画像がファイル名「4-19xxx.pdf」として保存され、第３ページ及び第４ページの原稿画像がファイル名「4-20yyy.pdf」として保存される。
【００４６】
ところで、原稿の全てのページにおいて指定領域に文字が記載されているとは限らず、奇数ページ又は偶数ページのいずれか一方のページのヘッダーにのみ章番号や見出し等が記載されることがある。その場合、他方のページの原稿画像において指定された領域には文字は記載されておらず空白である。そのようなページの原稿画像については、前ページの続きとみなして前ページの原稿画像と同じファイルで保存するか、それとも前ページとは別のファイルとして保存するかを、ユーザーが操作部４７の操作により指示を入力して任意に設定する。操作部４７は当該指示を受け付ける。画像保存制御部１０３は当該指示に従って、ファイルを区切るページ位置を設定し、各ファイルを作成する。
【００４７】
図４へ戻り、文字列認識部１０２により指定領域が空白であると判断された場合であって（Ｓ３でＹＥＳ）、原稿画像を１８０度回転するように設定されていない場合（Ｓ４でＮＯ）、又は原稿画像を１８０度回転した画像においても指定領域に文字列が認識されない、すなわち、指定領域が空白である場合において（Ｓ７でＹＥＳ）、指定領域が空白であるページを前ページの続きとする設定がなされていない場合には（Ｓ１２でＮＯ）、画像保存制御部１０３は、前ページまでの原稿画像を１ファイルとして記憶装置に保存する（Ｓ９）。これにより、指定領域が空白である当ページが前ページと分離され、前ページまでの原稿画像を含むファイルが記憶装置に保存される。
【００４８】
図７は、指定領域が空白であるページを前ページとは別のファイルとして保存する例を示す図である。例えば、原稿の第３ページの指定領域が空白である場合、画像保存制御部１０３により、第２ページまでの原稿画像がファイル名「4-19xxx.pdf」として保存される。一方、第３ページ以降の原稿画像は、第４ページの原稿画像の指定領域において認識された文字列「4-20yyy」に基づいて、画像保存制御部１０３により、ファイル名「4-20yyy.pdf」として保存される。
【００４９】
一方、指定領域が空白であるページを前ページの続きとする設定がされている場合には（Ｓ１２でＹＥＳ）、画像保存制御部１０３により前ページまでの原稿画像の保存は行われず、原稿の次ページがあれば（Ｓ１０でＹＥＳ）、ステップＳ１へ戻って原稿読取部５が原稿の次ページを読み取る。
【００５０】
図８は、指定領域が空白であるページを前ページと同じファイルとして保存する例を示す図である。例えば、原稿の第３ページの指定領域が空白である場合、第３ページは第２ページの続きとして扱われ、画像保存制御部１０３により、第３ページまでの原稿画像がファイル名「4-19xxx.pdf」として記憶装置に保存され、第４ページの原稿画像がファイル名「4-20yyy.pdf」として記憶装置に保存される。
【００５１】
この本実施形態によれば、複数ページからなる原稿をスキャンしてファイル化する際に、ユーザーが分割するページ位置を指定しなくても、ユーザーにとって好適と想定されるページ位置で原稿を複数のファイルに分割して保存することができる。これにより、ユーザーが分割するページ位置を手動で指定する手間が省け、ユーザーの利便性を向上させることができる。
【００５２】
なお、本実施形態によれば、原稿の１ページのスキャンが完了するごとに指定された領域の文字列認識及びページ分割処理を行なっている。すなわち、文字列認識部１０２は、原稿読取部５による原稿の１ページの読取が完了するごとに、指定された領域の文字列認識を行い、画像保存制御部１０３は、前記ファイル分割処理を行なっている。これに対して、原稿の全ページをスキャンして全ページの原稿画像データを画像メモリー３２に蓄積してから各ページの指定領域の文字列認識及びページ分割処理を行ってもよい。すなわち、文字列認識部１０２は、原稿読取部５による原稿の全ページを読み取って全ページの原稿画像データをメモリー３２（記憶装置）に蓄積した後に、各ページの前記指定された領域の文字列認識を行い、画像保存制御部１０３は、前記ファイル分割処理を行うようにしてもよい。
【００５３】
以上、本発明の実施形態について説明したが、本発明は上記実施の形態の構成に限られず種々の変形が可能である。例えば、また、ユーザーは、操作部４７の操作により、原稿画像において文字列を読み取るべき領域として、ヘッダーの領域に限らず、フッターや小口側の領域を指定してもよい。この場合、文字列認識部１０２は、当該指定された領域で文字列を認識する。
【００５４】
また、上記実施形態において、画像保存制御部１０３は、上記のＳ１において原稿読取部５により読み取られた原稿画像のデータ量が予め定められたデータ量を超える場合に、Ｓ２乃至Ｓ１１に示すファイル分割処理を行うようにしてもよい。
【００５５】
また、上記実施形態では、本発明に係る原稿読取装置を複合機に搭載した例を説明しているが、これは一例に過ぎず、本発明に係る原稿読取装置は、例えば、コピー機、ファクシミリ装置、スキャナー装置に搭載することも可能である。
【００５６】
また、図１乃至図８を用いて上記実施形態により示した構成及び処理は、本発明の一実施形態に過ぎず、本発明を当該構成及び処理に限定する趣旨ではない。
【図１】
0006638830.tif 000002
【図２】
0006638830.tif 000003
【図３Ａ】
0006638830.tif 000004
【図３Ｂ】
0006638830.tif 000005
【図４】
0006638830.tif 000006
【図５】
0006638830.tif 000007
【図６】
0006638830.tif 000008
【図７】
0006638830.tif 000009
【図８】
0006638830.tif 000010